(57)【特許請求の範囲】
【請求項１】
本体部と、
前記本体部に設けられた一対の第１の支軸それぞれを中心に回動可能に一端が支持された一対の第１のアーム部と、
前記一対の第１のアーム部それぞれの他端に設けられた第２の支軸を中心に回動可能に一端が支持された一対の第２のアーム部と、
を備え、
前記一対の第２のアーム部の前記第２の支軸に支持された一端同士を噛み合わせることで、前記第２のアーム部の各他端が一端よりも前記本体部の方向に近づく、
ことを特徴とするハンガー。
【請求項２】
前記第２のアーム部の他端への荷重によって、前記第２の支軸を支点とする前記第２のアーム部の一端の重力方向に対向する方向への動きを前記第２のアーム部の一端同士が抑制し合うことで、一端同士がより強く噛み合う、
請求項１に記載のハンガー。
【請求項３】
前記一対の第１のアーム部の間の角度を固定する固定具をさらに備える、
請求項１又は２に記載のハンガー。
【請求項４】
前記本体部に設けられたフックをさらに備える、
請求項１から３のいずれか一項に記載のハンガー。
【発明の詳細な説明】
【技術分野】
【０００１】  本発明は、ハンガーに関する。
【背景技術】
【０００２】  衣類を吊るすためのハンガーとして、様々なものが考案されている。例えば、特許文献１には、折り畳み自在な上部アームと下部アームとを備えるハンガーが開示されている。上部アームを拡げることで、当該ハンガーにシャツを掛けることができる。また、上部アームを折り畳むことで下部アームに上記シャツより小さい着物等を掛けることができる。さらに、該上部アームの先端には曲折部が形成されており、曲折部は紐類のループを掛けられるフックとして機能する。これにより、当該ハンガーによれば、シャツ等と共にループを介してハンカチ等を乾燥させることができる。
【先行技術文献】
【特許文献】
【０００３】
【特許文献１】特開平１０−３１４００３号公報
【発明の概要】
【発明が解決しようとする課題】
【０００４】  しかし、上記特許文献１に開示されたハンガーでは、曲折部が下部アームにスナップボタンの係着を介して保持されており、構造上、靴下やハンカチ等の比較的軽量な小物しか曲折部に掛けることができないといった不都合がある。【０００５】  本発明は、上記実情に鑑みてなされたものであり、服の大小を問わず使用できるうえに、耐荷重性に優れるハンガーを提供することを目的とする。
【課題を解決するための手段】
【０００６】  上記目的を達成するため、本発明の第１の観点に係るハンガーは、
本体部と、
前記本体部に設けられた一対の第１の支軸それぞれを中心に回動可能に一端が支持された一対の第１のアーム部と、
前記一対の第１のアーム部それぞれの他端に設けられた第２の支軸を中心に回動可能に一端が支持された一対の第２のアーム部と、
を備え、
前記一対の第２のアーム部の前記第２の支軸に支持された一端同士を噛み合わせることで、前記第２のアーム部の各他端が一端よりも前記本体部の方向に近づく、
ことを特徴とする。【０００７】  この場合、前記第２のアーム部の他端への荷重によって、前記第２の支軸を支点とする前記第２のアーム部の一端の重力方向に対向する方向への動きを前記第２のアーム部の一端同士が抑制し合うことで、一端同士がより強く噛み合う、
こととしてもよい。【０００８】  また、前記一対の第１のアーム部の間の角度を固定する固定具をさらに備える、
こととしてもよい。【０００９】  また、前記本体部に設けられたフックをさらに備える、
こととしてもよい。
【発明の効果】
【００１０】  本発明に係るハンガーは、服の大小を問わず使用できるうえに、服の大小を問わず使用できるうえに、耐荷重性に優れる。
【図面の簡単な説明】
【００１１】
【図１】本発明の実施の形態に係るハンガーの折り畳んだ状態を示す図である。
【図２】図１に示すハンガーを子供服用のハンガーとして使用するときの態様を示す図である。
【図３】図１に示すハンガーを大人服用のハンガーとして使用するときの態様を示す図である。
【図４】図１に示すハンガーを靴用のハンガーとして使用するときの態様を示す図である。
【発明を実施するための形態】
【００１２】  本発明に係る実施の形態について図面を参照して説明する。なお、本発明は下記の実施の形態及び図面によって限定されるものではない。下記の実施の形態及び図面に変更を加えることができるのはもちろんである。
【００１３】  （実施の形態）
まず、本発明の実施の形態について説明する。本実施の形態に係るハンガー１００は、図１に示すように、本体部１と、フック２と、一対のアーム部（第１のアーム部）３と、一対の伸長アーム部（第２のアーム部）４と、を備える。
【００１４】  本体部１、フック２、アーム部３及び伸長アーム部４は、特定の素材に限定されず、樹脂、厚手の紙、木材又は金属等で形成される。本体部１の上部には、フック２が配設される。フック２を介してハンガー１００を物干し竿等に掛けることができる。
【００１５】  本体部１の下部には、一対の支軸（第１の支軸）としてネジ５が設けられている。アーム部３は、本体部１に設けられた一対のネジ５それぞれを中心に回動可能に一端が支持される。具体的には、本体部１及びアーム部３にはネジ穴が設けられており、アーム部３のネジ穴から挿入されたネジ５が本体部１のネジ穴を貫通して、本体部１のアーム部３が取り付けられる側の反対側でナットに嵌められる。図２に示すように、ネジ５を中心にアーム部３を回動させることで、アーム部３の間の角度が開いてネジ５で固定されていないアーム部３の他端が互いに離れる。
【００１６】  図２においてアーム部３の間の角度が所定の角度になった状態で、一方のアーム部３の他端から他方のアーム部３の他端までの長さｄ１は、子供用の上着を掛け得る長さになっている。したがって、図２の状態で、ハンガー１００は、第１の用途として、主に子供服用ハンガーとして使用できる。
【００１７】  伸長アーム部４は、一対のアーム部３それぞれの他端に設けられた支軸（第２の支軸）としてネジ６を中心に回動可能に一端が支持される。具体的には、アーム部３の他端及び伸長アーム部４の一端にはネジ穴が設けられている。アーム部３のネジ穴から挿入されたネジ６が伸長アーム部４のネジ穴を貫通して、伸長アーム部４のアーム部３が取り付けられる側の反対側でナットに嵌められる。図３に示すように、ネジ６を中心に伸長アーム部４を回動させることで、ネジ６で固定されていない伸長アーム部４の他端が本体部１から離れた位置に移動する。
【００１８】  伸長アーム部４は、係止部７を備える。ネジ６を中心に伸長アーム部４を回動させて、伸長アーム部４の他端を本体部１から離れた位置に移動させた際、係止部７は、アーム部３に物理的に干渉することで伸長アーム部４の回動を制限する。
【００１９】  係止部７がアーム部３に物理的に干渉した状態で、一方の伸長アーム部４の他端から他方の伸長アーム部４の他端までの長さｄ２は最長となる。長さｄ２は、大人用の上着を掛け得る長さになっている。したがって、図３の状態で、ハンガー１００は、第２の用途として、主に大人服用ハンガーとして使用できる。
【００２０】  なお、ハンガー１００は、一対のアーム部３の間の角度を固定する固定具をさらに備えてもよい。固定具は、例えば、一対のアーム部３の間の角度が所定の大きさの場合の一方のアーム部３の任意の位置から他方のアーム部３の任意の位置までの長さを有する棒である。当該棒を一対のアーム部３各々の任意の位置に固定することで、一対のアーム部３の間の角度を所定の大きさに維持できる。
【００２１】  ハンガー１００は第３の用途にも好適である。図４に示すように、ネジ５を中心として回動させたアーム部３とネジ６を中心として回動させた伸長アーム部４とが所定の位置に配置された場合に、伸長アーム部４のネジ６に支持された一端同士が噛み合うように、一端の形状が形成されている。このため、一対の伸長アーム部４のネジ６に支持された一端同士を噛み合わせることで、伸長アーム部４の各他端が一端よりも本体部１の方向に近づく。
【００２２】  例えば、図４の一端同士が噛み合った状態で、伸長アーム部４の他端に靴を掛けることができる。この場合、伸長アーム部４の他端への荷重によって、ネジ６を支点とする伸長アーム部４の一端が重力方向に対向する方向に動こうとする。しかし、一端同士が噛み合っているため、重力方向に対向する方向への動きを伸長アーム部４の一端同士が抑制し合う。これにより、伸長アーム部４の一端同士がより強く噛み合う。
【００２３】  以上詳細に説明したように、本実施の形態に係るハンガー１００は、アーム部３と伸長アーム部４とを備えるため、服の大きさに応じて、ハンガー１００の大きさを変えることができる。このため、服の大小を問わず使用できる。また、伸長アーム部４の一端同士を噛み合わせることで、伸長アーム部４の各他端が一端よりも本体部１の方向に近づく。こうすることで、靴などある程度の重量のあるものを掛けることができる。また、伸長アーム部４の一端同士を噛み合わせるようにしたため、ネジ等で一端同士を連結させる必要がなく、簡便に靴などを掛けることができる。
【００２４】  また、ハンガー１００では、伸長アーム部４の他端への荷重によって、ネジ６を支点とする伸長アーム部４の一端の重力方向に対向する方向への動きを伸長アーム部４の一端同士が抑制し合うことで、一端同士がより強く噛み合うようにした。これにより、伸長アーム部４の他端への荷重が増大するに従って、伸長アーム部４の一端同士がより強固に噛み合うのでかなりの重量にも耐えうる。
【００２５】  なお、ネジ５、６は、支軸となるものであれば特に限定されず。ピン、ボルト等であってもよい。また、アーム部３は、長手方向に沿って溝を有していてもよい。この場合、当該溝に伸長アーム部４を収納できる。また、アーム部３は、２枚の部材から構成され、該部材の間に伸長アーム部４を挟むようにしてもよい。
【００２６】  なお、伸長アーム部４及び係止部７の表面には、上着等との摩擦係数が高い素材からなる滑り止め部材を配置してもよい。好ましくは、滑り止め部材は、図２の状態で上着等と接触する係止部７の表面と、係止部７が配設された側の反対側の伸長アーム部４の表面に配置される。
【００２７】  本発明は、本発明の広義の精神と範囲を逸脱することなく、様々な実施形態及び変形が可能とされるものである。また、上述した実施形態は、本発明を説明するためのものであり、本発明の範囲を限定するものではない。すなわち、本発明の範囲は、実施形態ではなく、特許請求の範囲によって示される。そして、特許請求の範囲内及びそれと同等の発明の意義の範囲内で施される様々な変形が、本発明の範囲内とみなされる。
【符号の説明】
【００２８】  １  本体部
２  フック
３  アーム部
４  伸長アーム部
５、６  ネジ
７  係止部
１００  ハンガー
【要約】
【課題】服の大小を問わず使用できるうえに、耐荷重性に優れるハンガーを提供する。
【解決手段】ハンガー１００は、本体部１と、アーム部３と、伸長アーム部４と、を備える。アーム部３は、本体部１に設けられた一対のネジ５それぞれを中心に回動可能に一端が支持される。伸長アーム部４は、一対のアーム部３それぞれの他端に設けられたネジ６を中心に回動可能に一端が支持される。一対の伸長アーム部４のネジ６に支持された一端同士を噛み合わせることで、伸長アーム部４の各他端が一端よりも本体部１の方向に近づく。
【選択図】図４【図１】
0006055143.tif 000002
【図２】
0006055143.tif 000003
【図３】
0006055143.tif 000004
【図４】
0006055143.tif 000005